(57)【要約】【課題】ジョブの属性や出力状況によって、ジョブシートの必要性ないと判断した場合には、ジョブシートの出力の指示に拘らず、ジョブシートの出力をキャンセルすることで、記録用紙等の消耗品の無駄、並びに出力時間の無駄を省く。【解決手段】ジョブの属性又は出力状況に応じて、ジョブシート５０の出力をデフォルト設定に拘らず、必要最小限の出力に抑えるようにしたたので、記録用紙１１４等の消耗品の浪費を抑制することができ、かつ本来のジョブ（本文）の出力時間の迅速化を図ることができる。【選択図】　　　図６
2004074474.tif 000002
【特許請求の範囲】
【請求項１】
画像データに基づいて所定の記録用紙に画像を形成し、当該画像が形成された記録用紙をトレイへ排出する画像出力装置であって、
関連する前記画像データの区切りであるジョブ単位に、当該ジョブの先頭及び最後尾に出力し、前記ジョブに関する情報が記録されたジョブシートを出力するジョブシート出力手段と、
出力指示のあった前記ジョブが予め設定された所定の属性又は出力状況に一致する場合に、前記ジョブシート出力手段によるジョブシートの出力の実行をキャンセルするジョブシートキャンセル手段と、
を有する画像出力装置。
【請求項２】
前記ジョブシートは、前記ジョブの先頭に出力するスタートシートと、前記ジョブの最後尾に出力するエンドシートと、で構成され、ジョブシートを出力しない、スタートシートのみを出力する、エンドシートのみを出力する、スタートシートとエンドシートの両方を出力するのいずれかを選択可能であることを特徴とする請求項１記載の画像出力装置。
【請求項３】
前記所定の出力状況に該当するジョブが、実質的にジョブが０ページ又はジョブの異常で１ページも出力されないジョブ、或いは同一のユーザーのジョブが継続するときの先頭のジョブと最後のジョブとの間の中間のジョブを含み、少なくとも前記スタートシートの出力をキャンセルすることを特徴とする請求項２記載の画像出力装置。
【請求項４】
前記スタートシートのみが指定され、このスタートシートがキャンセルされた場合に、このスタートシートと対となるエンドシートに、前記スタートシートに記録すべき情報を記録することを特徴とする請求項３記載の画像出力装置。
【請求項５】
前記所定の属性に該当するジョブが、前記画像出力装置への直接の出力指示操作によって出力が開始される親展ジョブ、２部目以降に前記画像出力装置への直接の出力指示操作によって出力が開始されるサンプルジョブ、並びに前記画像出力装置への直接の出力指示操作によって出力が開始される装置管理に関するレポートの少なくとも１つを含むことを特徴とする請求項１又は請求項２記載の画像出力装置。
【請求項６】
前記所定の出力状況に該当するジョブが、同一のユーザーから連続して出力指示操作がなされた複数ジョブであり、当該複数ジョブの中間ジョブに関して、前記ジョブシートの出力をキャンセルすることを特徴とする請求項１又は請求項２記載の画像出力装置。
【請求項７】
前記所定の出力状況に該当するジョブが、同一のユーザーで、かつ出力するファイル名が同一の複数のジョブであり、当該複数ジョブの中間ジョブに関して、前記ジョブシートの出力をキャンセルすることを特徴とする請求項１又は請求項２記載の画像出力装置。
【請求項８】
前記複数ジョブの先頭のジョブのスタートシート及び最後尾のジョブのエンドシートのみ出力されることを特徴とする請求項６又は請求項７記載の画像出力装置。
【発明の詳細な説明】
【０００１】
【発明の属する技術分野】
本発明は、画像データに基づいて所定の記録用紙に画像を形成し、当該画像が形成された記録用紙をトレイへ排出する画像出力装置に関する。
【０００２】
【従来の技術及び発明が解決しようとする課題】
従来、画像出力装置（プリンタ）に連続的に出力されるジョブの区切りを示す手段として、ジョブシートが適用されている。ジョブシートは、ジョブの先頭ページに先立って出力されるスタートシート（表（おもて）表紙）と、ジョブの最後尾に続いて出力されるエンドシート（裏（うら）表紙）とがあり、それぞれ指定されたジョブに対して出力される。
【０００３】
スタートシートには、ジョブを実行した時間や実行者等の情報が印字されるようになっており、エンドシートには、ジョブの実行ステータス等が印字されるようになっている。
【０００４】
ここで、通常、ジョブシートは、ユーザーが自身のジョブを区別するために使用されているが、現状では不必要な場合にもジョブシートが出力される場合があり、記録用紙や消耗品を浪費するという問題点がある。
【０００５】
不必要なジョブシートの出力の例としては、親展ジョブがある。
【０００６】
親展ジョブは、ユーザーがプリンタの前で直接指示操作することで、画像形成のための処理が開始されるため、ユーザーは記録用紙の出力状況を直接目視でき、区切りを示すジョブシートがなくてもよい。また、同一のユーザーが連続でジョブを投入（画像形成処理の指示）している場合、本来は異なるユーザー間の区切りを示すのが目的のジョブシートが、同一のユーザーの複数のジョブの間にも挿入されることになる。
【０００７】
このような、ジョブシートは、必要性の度合いが少なく、却ってジョブの出力時間が長くなったり、記録用紙の無駄が出るといったデメリットの方が大きい。
【０００８】
本発明は上記事実を考慮し、ジョブの属性や出力状況によって、ジョブシートの必要性ないと判断した場合には、ジョブシートの出力の指示に拘らず、ジョブシートの出力をキャンセルすることで、記録用紙等の消耗品の無駄、並びに出力時間の無駄を省くことができる画像出力装置を得ることが目的である。
【０００９】
【課題を解決するための手段】
本発明は、画像データに基づいて所定の記録用紙に画像を形成し、当該画像が形成された記録用紙をトレイへ排出する画像出力装置であって、関連する前記画像データの区切りであるジョブ単位に、当該ジョブの先頭及び最後尾に出力し、前記ジョブに関する情報が記録されたジョブシートを出力するジョブシート出力手段と、出力指示のあった前記ジョブが予め設定された所定の属性又は出力状況に一致する場合に、前記ジョブシート出力手段によるジョブシートの出力の実行をキャンセルするジョブシートキャンセル手段と、を有している。
【００１０】
本発明によれば、ジョブシートは、ジョブの区切りを明確にするため、複数のジョブが連続してトレイへ排出された場合等には、その仕分けの作業が容易となる。ところが、ジョブの属性や出力状況によっては、不要な場合もある。
【００１１】
すなわち、このジョブシートは、画像出力装置が複数のクライアントＰＣ等が接続されたネットワークに接続されて、複数のユーザーが共有し、出力の際にジョブに対して画像形成の指示をしたユーザーが画像出力装置の傍らにいない場合を想定しており、ユーザーが画像出力装置の前で出力を指示するようなときは、仕分けの必要がない。また、同一のユーザーであれば、ジョブの区切りを明確にするよりも、迅速な出力を望む場合がある。
【００１２】
そこで、キャンセル手段では、ジョブが予め設定した所定の属性又は所定の出力状況に一致する場合には、仮にジョブシートの出力指示があったとしても、これをキャンセルする。ジョブシートの出力がない分、記録用紙等の消耗品の浪費を軽減でき、かつジョブの出力時間の短縮化を図ることができる。
【００１３】
上記発明において、前記ジョブシートは、前記ジョブの先頭に出力するスタートシートと、前記ジョブの最後尾に出力するエンドシートと、で構成され、ジョブシートを出力しない、スタートシートのみを出力する、エンドシートのみを出力する、スタートシートとエンドシートの両方を出力するのいずれかを選択可能であることを特徴としている。
【００１４】
スタートシートとエンドシートとでジョブを挟むことで、スタートシートが表（おもて）表紙、エンドシートが裏（うら）表紙の役目を果たし、ジョブの区切りを明確とすることができる。上記キャンセル手段では、このスタートシートとエンドシートの両方をキャンセルしてもよいし、何れか一方をキャンセルするようにしてもよい。
【００１５】
また、本発明において、前記所定の出力状況に該当するジョブが、実質的にジョブが０ページ又はジョブの異常で１ページも出力されないジョブ、或いは同一のユーザーのジョブが継続するときの先頭のジョブと最後のジョブとの間の中間のジョブを含み、少なくとも前記スタートシートの出力をキャンセルすることを特徴としている。
【００１６】
所定の出力状況の実施態様であり、出力されるジョブが０ページの場合（これは、ユーザーの操作指示ミスによることが多い。）やジョブの異常で１ページも出力されない場合（これは、プリンタドライバの異常も含む）は、ジョブが存在しないのに、ジョブシートのみが出力されることになり、ジョブシートが無意味であり、記録用紙等の消耗品の浪費となる。また、同一のユーザーのジョブが継続する場合、先頭のジョブと最後のジョブ以外は、当該同一のユーザーであることが明確であり、この場合もジョブシートは無意味である。
【００１７】
このような出力状況の際には、キャンセル手段によってジョブシートの出力をキャンセルする。
【００１８】
また、前記スタートシートのみが指定され、このスタートシートがキャンセルされた場合に、このスタートシートと対となるエンドシートに、前記スタートシートに記録すべき情報を記録することを特徴としている。
【００１９】
前記ジョブシートのキャンセルの際、スタートシートのみをキャンセルするようにしてもよい。この場合、エンドシートに、キャンセルしたスタートシートに記録すべき情報を記録することで、情報をユーザーに明示することができる。すなわち、例えば、前記０ページのジョブという出力状況のとき、スタートシート及びエンドシートの両方をキャンセルすると、ユーザーは出力指示をしたのに出力されない原因が不明のままとなる。そこで、エンドシートのみを出力し、このエンドシートに、キャンセルしたスタートシートに記録すべき情報を記録することで、ジョブが出力されない状況を把握することができる。
【００２０】
さらに、本発明において、前記所定の属性に該当するジョブが、前記画像出力装置への直接の出力指示操作によって出力が開始される親展ジョブ、２部目以降に前記画像出力装置への直接の出力指示操作によって出力が開始されるサンプルジョブ、並びに前記画像出力装置への直接の出力指示操作によって出力が開始される装置管理に関するレポートの少なくとも１つを含むことを特徴としている。
【００２１】
親展ジョブの場合、ユーザーは、画像出力装置の傍らに立ち、直接出力指示操作を行う。このため、記録用紙のトレイへの出力を目視しているため、ジョブシートで区切りを明確にする必要性が少ない。むしろ、ジョブシートの出力による記録用紙及び時間の浪費の方が無駄となる。そこで、このような親展ジョブの場合には、ジョブシートの出力をキャンセルする。
【００２２】
上記親展ジョブ、サンプルジョブの他、装置の状態、履歴、メンテナンス情報等の装置管理に関するレポートも直接操作するものであり、このようなレポートもジョブシートをキャンセルする。
【００２３】
また、親展ジョブと同類のジョブとしてサンプルジョブがある。サンプルジョブは、通常複数部を指定し、その１部目のみを出力したあと、ユーザーが確認し、ＯＫであれば直接出力指示操作をするものである。このような場合、２部目以降は、ユーザーが画像出力装置の傍らに立っていることが前提となるため、前記親展ジョブと同様にジョブシートの出力をキャンセルする。
【００２４】
さらに、本発明において、前記所定の出力状況に該当するジョブが、同一のユーザーから連続して出力指示操作がなされた複数ジョブであり、当該複数ジョブの中間ジョブに関して、前記ジョブシートの出力をキャンセルすることを特徴とすしている。
【００２５】
同一のユーザーから連続して出力指示操作がなされた場合、その先頭のジョブと最後尾のジョブ以外の中間のジョブに関しては、ジョブシートは不要であることが多いため、この中間のジョブに対して、ジョブシートの出力をキャンセルすることで、記録用紙等の消耗品の浪費の軽減、出力の迅速化を図ることができる。
【００２６】
また、本発明において、前記所定の出力状況に該当するジョブが、同一のユーザーで、かつ出力するファイル名が同一の複数のジョブであり、当該複数ジョブの中間ジョブに関して、前記ジョブシートの出力をキャンセルすることを特徴としている。
【００２７】
同一のユーザーで、かつ出力するファイル名が同一の複数のジョブの場合とは、アプリケーションによって複数部数指定を行った場合、同じファイルを複数回画像出力装置に出力させるものがあり、ユーザーは１つのジョブだと思っているにも関わらず、画像出力装置にとっては複数のジョブに分割されているため、ジョブシートがその分挿入されてしまうケースを想定している。このような場合も前述の如く、中間のジョブに対してはジョブシートは不要であり、この中間のジョブのジョブシートをキャンセルする。
【００２８】
ここで、同一のユーザーから連続して出力指示操作がなされた場合、或いは同一のユーザーで、かつ出力するファイル名が同一の複数のジョブの場合、前記複数ジョブの先頭のジョブのスタートシート及び最後尾のジョブのエンドシートのみ出力されることを特徴としている。
【００２９】
ジョブシートを極力省くことを考えれば、複数のジョブの先頭のスタートシートと、最後尾のジョブのエンドシートのみでよい。
【００３０】
【発明の実施の形態】
図１には、本実施の形態に係るプリンタシステム１０の概略図が示されている。
【００３１】
プリンタシステム１０は、複数のクライアントＰＣ（ホストコンピュータ）１２がネットワーク１４を介して画像出力装置（プリンタ）１００と接続されている。
【００３２】
画像出力装置１００は、データ入力部１８を備え、クラアントＰＣ１２からプリント指定情報及び画像データが入力されることで、このデータが解析され、画像生成部２０へ送出されるようになっている。
【００３３】
この画像生成部２０では画像形成のためのイメージ展開を実行し、ページメモリ２２に記憶されるようになっている。
【００３４】
また、画像生成部２０は、出力順判定部２４に接続されており、入力されたデータの解析結果に基づいて、出力順を判断し、画像出力部を制御する。
【００３５】
画像出力部２６では、前記ページメモリ２２に記憶されたイメージ展開されたデータを読出し、画像形成処理を実行する。
【００３６】
ここで、画像出力装置１００には、画像データ蓄積装置としてのハードディスク（ＨＤＤ）２８が装備されており、画像生成部２０で生成されイメージ展開されてページメモリ２２に記憶されるデータを複数ページ分保存することが可能となっている。
【００３７】
なお、前記クライントＰＣ１２には、ネットワーク１４に接続された画像出力装置１００のコンフィグ（環境設定）や、画像出力時の初期設定、並びに画像出力の度に初期設定とは異なる設定を行なうためのプリンタドライバ（ソフトウェア）がインストールされている。
【００３８】
図２には、本実施の形態に係る画像出力装置１００の構成が示されている。
【００３９】
画像出力装置１００は、メインユニット２００と、メインユニット２００の上面に位置する標準排出トレイ２０２（排出トレイ）と、メインユニット２００の図２の左側壁面に配設されたサイドトレイ２０４（排出トレイ）と、手差しトレイ２０６（給紙トレイ）と、メインユニット２００の下部側に設置された複数の給紙トレイ２０８（本実施の形態では４段（給紙トレイ））とからなる。
【００４０】
メインユニット２００の内部には、記録用紙１１４を走査出力部１０４側に搬入したり、或いはＲＯＳベースの走査出力部１０４、Ｙ、Ｍ、Ｃ、Ｋの各色用のトナーカートリッジ２０９Ｙ、Ｍ、Ｃ、Ｋが配設されたカートリッジ部２０９及びＲＯＳベースの走査出力部１０４にて画像出力された記録用紙１１４を標準排出トレイ２０２等に排出させるための各種ロール２１０、用紙センサ２１２からなる搬送系２１４が収容されている。なお、搬送系２１４における各種ロール２１０、用紙センサ２１２の詳細については説明を省略する。
【００４１】
メインユニット２００の下部に配設された給紙トレイ２０８は、各種ロール２１６や各種の用紙センサ２１８からなるフィーダ部２２０と、所定サイズの記録用紙１１４を収容するための用紙カセット２２２とから構成されている。フィーダ部２２０は、用紙カセット２２２から記録用紙１１４を１枚ずつ取出してメインユニット２００内の搬送系２１４へ送り出す。
【００４２】
走査出力部１０４には、一方向に順次一定間隔において並設されたＹ、Ｍ、Ｃ、Ｋの各色の転写部２３２（以下、必要に応じてそれぞれの末尾にＹ、Ｍ、Ｃ、Ｋを付す。その他の部材についても同様に末尾にＹ、Ｍ、Ｃ、Ｋを付す。）が設けられている。
【００４３】
前記転写部２３２を備えた走査出力部１０４では、オン・オフ２値化トナー信号に基づいて潜像をドラム２２４Ｙに記録するための図示しないレーザ光源、ポリゴンミラー２３８やその他のミラー２４０等からなる書込走査光学系２４２をさらに備え、この走査光学系２４２によって、感光体であるドラム２２４に画像出力データに基づくレーザー光を照射し、一次転写ロール２２６を介して中間転写体ベルト２２８に画像を転写し、この中間転写体ベルト２２８の転写画像部分と記録用紙１１４とを二次転写ロール２３０で挟持することにより画像を記録用紙１１４に画像出力する構成となっている。
【００４４】
Ｙ色用の転写部２３２Ｙの中央には、ドラム２２４Ｙが配設されている。このドラム２２４Ｙの周囲には、一次帯電器２３４Ｙと、現像器２３６Ｙと、が設けられている。
【００４５】
中間転写体ベルト２２８は、複数のベルト搬送ロール２４４に巻き掛けられている。１つのベルト搬送ロール２４４と対応する位置には、前記二次転写ロール２３０が配設されている。また、図２の右側に配設されたベルト搬送ロール２４４の近傍には、ベルトクリーニングユニット２４６が配設されている。
【００４６】
メインユニット２００の図２の左側には、二次転写ロール２３０から送り出された画像出力済の記録用紙１１４を排出するために、二次転写ロール２３０の記憶用紙１１４の搬送方向下流側に、定着ロール２４８、定着排出ロール２５０等の種々の搬送ロールが設けられている。また、標準排出トレイ２０２には、メインユニット２００から送られた記録用紙１１４を機外に排出するための排出ロール２５２が設けられている。
【００４７】
このような構成の走査出力部１０４においては、まず、Ｙ（イエロー）用のレーザ光源は、Ｙ色のオン・オフ２値化トナー信号によって駆動されることで、Ｙ色のオン・オフ２値化信号を光信号に変換し、この変換されたレーザ光をドラム２２４Ｙに向けて照射する。これにより、レーザ光は、一次帯電器２３４Ｙによって帯電されたドラム２２４Ｙ上を走査することで、ドラム２２４Ｙに静電潜像を形成する。
【００４８】
この静電潜像は、トナータンク２０９ＹからＹ色のトナーが供給される現像器２３６Ｙによってトナー像が形成される。そして、ドラム２２４Ｙと一次転写ロール２２６Ｙとが対をなし、中間転写体ベルト２２８を駆動することで、トナー像は中間転写体ベルト２２８に転写される。転写後は、図示しないクリーナによってドラム２２４Ｙ上から余分なトナーが除去される。
【００４９】
同様に、Ｙ色のオン・オフ２値化トナー信号に対して順次一定間隔をおいて得られる、対応するＭ、Ｃ、Ｋの各色のオン・オフ２値化トナー信号に基づいて一次帯電器２３４Ｍ、２３４Ｃ、２３４Ｋによって帯電されたドラム２２４Ｍ、２２４Ｃ、２２４Ｋ上を走査することで、ドラム２２４Ｍ、２２４Ｃ、２２４Ｋ上にそれぞれ静電潜像を順次形成する。
【００５０】
各静電潜像は、トナータクン２０９Ｍ、Ｃ、Ｋからそれぞれ各色のトナーが供給される現像器２３６Ｍ、２３６Ｃ、２３６Ｋによって順次トナー像とされ、各トナー像は、一次転写ロール２２６Ｍ、２２６Ｃ、２２６Ｋによって中間転写体ベルト２２８上に順次転写される。転写後は、図示しないクリーナによってドラム２２４Ｍ、２２４Ｃ、２２４Ｋ上から余分なトナーが除去される。
【００５１】
上記転写後は、中間転写体ベルト２２８の画像が転写された部位が、二次転写ロール２３０の方向に搬送される。
【００５２】
一方、搬送系２１４は、ベルト搬送ロール２１０と二次転写ロール２３０との当接部に向けて、記録用紙１１４を搬送する。その後、中間転写体ベルト２２８上の転写画像部分と記録用紙１１４とを二次転写ロール２３０で挟持しながら下流側に搬送することにより、画像を記録用紙１１４に画像出力する。
【００５３】
このようにＹ、Ｍ、Ｃ、Ｋの各色のトナー像が順次多重転写された記録用紙１１４は、中間転写体ベルト２２８から剥離され、定着ロール２４８によってトナー像が熱定着され、トナー像が記録用紙１１４に固着し、その後、標準排出トレイ２０２等の機外へ排出される。
【００５４】
なお、上記画像出力装置２００における図２の左側の壁面（前記サイドトレイ２０４が設けられた側）には両面モジュール２５４が装着されている。この両面モジュール２５４は、記録用紙１１４をスイッチバックさせて、画像記録面を反転させる役目を有しており、この両面モジュール２５４の装着によって両面に画像を形成することが可能となる。なお、この両面モジュール２５４は、画像出力装置１００のメインユニット２００に対して着脱可能である。
【００５５】
ここで、本実施の形態では、標準排出トレイ２０２又はサイドトレイ２０４へ排出される記録用紙１１４に対して、図３に示される如く、一連の画像データの集まり（一般には１つのファイル名で括られた書類）であるジョブの区切りを明確とするために、当該ジョブシート５０を出力するようにしている。ジョブシート５０は、ジョブの先頭ページに先立って出力されるスタートシート５２（図３（Ａ）参照）と、ジョブの最後尾に続いて出力されるエンドシート５４（図３（Ｂ）又は（Ｃ）参照）とで構成されており、設定によって、スタートシート５２のみの出力、エンドシート５４のみの出力、スタートシート５２とエンドシート５４の両方の出力、並びにジョブシート５０の出力無しの選択が可能となっている。以下では、デフォルトとしてスタートシート５２とエンドシート５４の両方の出力が設定されていることを前提として説明する。
【００５６】
図３（Ａ）に示される如く、スタートシート５２には、「以下のジョブを開始しました」というメッセージが記録されるメッセージ記録領域５６と、ユーザー名、ファイル名、開始時間、コメントが記録されるジョブ開始情報記録領域５８とが設けられており、いまから出力されるジョブに関する情報を開示すると共に当該ジョブの表（おもて）表紙の役目を有する。
【００５７】
図３（Ｂ）に示される如く、エンドシート５４には、「以下のジョブを終了しました」というメッセージが記録されるメッセージ記録領域６０と、ユーザー名、ファイル名、終了時間、終了ステータス、出力ページが記憶されるジョブ終了情報記録領域６２とが設けられており、出力が完了したジョブに関する情報を開示すると共に当該ジョブの裏（うら）表紙の役目を有する。
【００５８】
なお、エンドシート５４では、画像形成時にエラー等が生じた場合、前記ジョブ終了情報記録領域６２にエラーコードを表示する領域が追加されるようになっている（図３（Ｃ）参照）。
【００５９】
このようなジョブシート５０において、ジョブの属性や出力状況によっては、ジョブシート５０の出力が無駄、或いは必要性が少ない場合がある（以下の▲１▼乃至▲４▼参照）。
【００６０】
▲１▼　０ページのジョブやジョブの異常等でジョブ自体（本文）が１ページも出力されない場合
この場合、本文がなく、スタートシート５２及びエンドシート５４のみが出力されることになる。このようなジョブシート５０は、無駄であり、ジョブシート５０の出力によって記録用紙１１４やトナー等の消耗品の消費が増えることになる。
【００６１】
▲１▼の対応としては、スタートシート５２の出力をキャンセルする。エンドシート５４は、前記スタートシート５２と共にキャンセルしてもよいが、ジョブの出力を指示したにも拘らず、何も出力されないとユーザーが出力されなかった原因が不明であり、この出力されなかった原因を知らしめるためには、エンドシート５４のみは出力することが好ましい。
【００６２】
▲２▼　スタートシート５２のみの出力が指定されている状態で、０ページのジョブやジョブの異常等でジョブ自体（本文）が１ページも出力されない場合
この場合、ジョブの出力を開始したことはわかるが、出力されなかった原因が判明せず、スタートシート５２は、無意味なものとなる。
【００６３】
▲２▼の対応としては、出力が指定されているスタートシート５２にエンドシート５４に記載するべき情報を記録する。これにより、エンドシート５４にのみ存在するエラーコード等が記録されるため、ユーザーは異常を認識することができる。
【００６４】
▲３▼　親展ジョブとサンプルジョブの場合
親展ジョブ（親展プリント）とは、遠隔にあるクライアントＰＣ１２（図１参照）から画像形成処理の指示を行い、当該ユーザー又はこのユーザーに依頼された者（以下、総称してユーザー等という）が、画像出力装置１００の前に立ち、所定の操作を行うことで出力が実行開始されるジョブである。
【００６５】
すなわち、不特定多数の者に見られたくないジョブを遠隔操作で出力する場合に適用されるが、実質的にユーザー等が画像出力装置１００の前に立っているため、ジョブの区切りを明確とするまでもなく、ジョブシート５０の出力は無駄となる。
【００６６】
サンプルジョブ（サンプルプリント）とは、複数部数ある内の１部目だけの出力を開始し、残り部数は親展ジョブと同様にユーザー等が画像出力装置１００の前に立ち、直接出力指示を行って出力を開始するものである。これにより、１部目の出力結果を確認した後で残り部数を出力することが可能であり、パンチ穴加工やステープル加工等の後処理加工の指示が間違っており、設定し直さなければときに、全部数の出力が完了してしまうという記録用紙１１４の無駄を最小限に抑えることができる。
【００６７】
このようなサンプルジョブにおいても、ユーザー等が画像出力装置１００の前に立っていることが前提であるため、ジョブシート５０の出力は無駄となる。
【００６８】
▲３▼の対応としては、親展ジョブ、並びにサンプルジョブの２部目以降に関してジョブシート５０の出力をキャンセルする。
【００６９】
▲４▼　同一ユーザーが連続してジョブを投入した場合、或いは同一のユーザーであり、かつ同一のファイル名のジョブが連続して出力される場合
この場合、ジョブシート５０の本来の目的が、ジョブの区切りであることを鑑みれば、ジョブ単位でジョブシート５０が存在してもよいが、同一のユーザーのジョブが連続して出力される場合は、誤って第三者にわたることがない。このためジョブシート５０が有効に機能せず、却って記録用紙１１４やトナー等の消耗品、並びに時間の無駄となる。
【００７０】
▲４▼の対応としては、中間のジョブに対してジョブシート５０の出力をキャンセルする。また、上記に加え、本実施の形態では、先頭のジョブのエンドシート５４と、最後尾のジョブのスタートシート５２の出力をキャンセルする。
【００７１】
例えば、図４（Ａ）に示される如く、同一のユーザーから投入されたジョブの本文６４がそれぞれ２ページであり、これが３ジョブである場合、全てにジョブシート５０が付加されると、合計１２枚の記録用紙が出力されることになる。
【００７２】
一方、図４（Ｂ）に示される如く、中間のジョブのジョブシート５０をキャンセルし、かつ先頭のジョブのエンドシート５４と、最後尾のジョブのスタートシート５２の出力をキャンセルすると、合計８枚の記録用紙１１４の出力で済む。
【００７３】
また、この場合、最後尾のジョブに続いて出力されるエンドシート５４には、図５に示される如く、複数のファイル名を記録する領域を設けることで、ユーザーは複数部のジョブが含まれていることを認識することができる。
【００７４】
本実施の形態では、上記▲１▼乃至▲４▼のようなジョブの属性、出力状況の場合、予め設定されているジョブシート５０の出力を一部又は全部キャンセルすることで、記録用紙１１４の無駄な消費、並びに出力時間の短縮化を図っている。
【００７５】
以下に本実施の形態の作用を説明する。
【００７６】
（画像記録の手順）
メインユニット２００では、まず、Ｙ（イエロー）用のレーザ光源が、Ｙ色のオン・オフ２値化トナー信号によって駆動される。
【００７７】
すなわち、Ｙ色のオン・オフ２値化信号を光信号に変換し、この変換されたレーザ光をドラム２２４Ｙに向けて照射することで、レーザ光は、一次帯電器２３４Ｙによって帯電されたドラム２２４Ｙ上を走査され、ドラム２２４Ｙに静電潜像が形成される。
【００７８】
この静電潜像は、Ｙ色のトナーが供給される現像器２３６Ｙによってトナー像が形成され、中間転写体ベルト２２８を駆動することで、当該トナー像は中間転写体ベルト２２８に転写される。
【００７９】
同様に、Ｍ、Ｃ、Ｋの各色のオン・オフ２値化トナー信号に基づいて一次帯電器２３４Ｍ、２３４Ｃ、２３４Ｋによって帯電されたドラム２２４Ｍ、２２４Ｃ、２２４Ｋ上を走査することで、ドラム２２４Ｍ、２２４Ｃ、２２４Ｋ上にそれぞれ静電潜像を順次形成すると共に、現像器２３６Ｍ、２３６Ｃ、２３６Ｋによって順次トナー像とされ、中間転写体ベルト２２８上に順次転写される。
【００８０】
上記転写後は、中間転写体ベルト２２８の画像が転写された部位が、二次転写ロール２３０の方向に搬送される。
【００８１】
一方、搬送系２１４は、二次転写ロール２３０に向けて、記録用紙１１４を搬送し、中間転写体ベルト２２８上の転写画像部分と記録用紙１１４とを二次転写ロール２３０で挟持しながら下流側に搬送することにより、画像を記録用紙１１４に画像出力する。
【００８２】
以下に図６のフローチャートに従い、ジョブシート出力制御ルーチンを示す。
【００８３】
ステップ３００では、デフォルトとしてスタートシート５２及びエンドシート５４の両方を出力するように設定し、ステップ３０２へ移行する。
【００８４】
ステップ３０２では、ジョブが入力したか否かが判断され、肯定判定されるとステップ３０４へ移行して本文が０ページか、或いは出力不可のジョブかを判断する。
【００８５】
このステップ３０４で肯定判定されると、ステップ３０６へ移行して、デフォルト設定とは異なる指定、すなわちスタートシート５２のみの出力の指定があるか否かが判断される。ステップ３０６で肯定判定されると、ステップ３０８へ移行し、この指定されたスタートシート５２へエンドシート５４へ記録するべき情報（ここでは、０ページ又は出力不可を示すエラーコード）を記録するように指示を行い、このルーチンは終了する。
【００８６】
また、ステップ３０６で否定判定された場合には、ステップ３１０でエンドシート５４のみを出力するように指示して、このルーチンは終了する。このエンドシート５４には、当然０ページ又は出力不可を示すエラーコードが記録される。
【００８７】
前記ステップ３０４で否定判定されると、ステップ３１２へ移行して、親展ジョブか否かが判断される。このステップ３１２で肯定判定されると、ステップ３１４へ移行して、ジョブシート５０の出力をキャンセルし、このルーチンは終了する。
【００８８】
また、ステップ３１２で否定判定された場合には、ステップ３１６へ移行してサンプルジョブか否かが判断される。このステップ３１６で肯定判定されると、ステップ３１８へ移行して２部目移行のサンプルジョブか否かが判断され、肯定判定されるとステップ３１４へ移行して、ジョブシート５０の出力をキャンセルする。ステップ３１８で否定判定された場合には、このルーチンは終了する。
【００８９】
なお、ステップ３１６で否定判定された場合を含め、このルーチンでジョブシート５０に関して、特別な指示がない場合には、通常のジョブであるため、デフォルト設定、あるいは特別に設定されたジョブシート５０の出力形態に基づいて、ジョブの先頭に先立ってスタートシート５２が出力され、ジョブの最後尾に続いてエンドシート５４が出力されることになる。
【００９０】
以上説明したように本実施の形態では、ジョブの属性は出力状況に応じて、ジョブシート５０の出力をデフォルト設定に拘らず、必要最小限の出力に抑えるようにしたたので、記録用紙１１４等の消耗品の浪費を抑制することができ、かつ本来のジョブ（本文）の出力時間の迅速化を図ることができる。
【００９１】
【発明の効果】
以上説明した如く本発明では、ジョブの属性や出力状況によって、ジョブシートの必要性ないと判断した場合には、ジョブシートの出力の指示に拘らず、ジョブシートの出力をキャンセルすることで、記録用紙等の消耗品の無駄、並びに出力時間の無駄を省くことができるという優れた効果を有する。
【図面の簡単な説明】
【図１】本実施の形態に係るプリントシステムの概略図。
【図２】本実施の形態に係る画像出力装置の概略構成図である。
【図３】（Ａ）はスタートシートの正面図、（Ｂ）はエンドシート（正常時）の正面図、（Ｃ）はエンドシート（異常時）の正面図である。
【図４】同一ユーザーからの連続ジョブの出力状態を示す側面図であり、（Ａ）は従来の出力状態、（Ｂ）は本実施の形態の出力状態を示す。
【図５】同一ユーザーかつ同一ファイル名のジョブにおけるエンドシートの記録形態を示す正面図である。
【図６】ジョブシート出力制御ルーチンを示すフロチャートである。
【符号の説明】
１０　　プリントシステム
１２　　クライアントＰＣ
１４　　ネットワーク
１８　　データ入力部
２０　　画像生成部
２２　　メージメモリ
２４　　出力順判定部
２６　　画像出力部
２８　　ハードディスク
５０　　ジョブシート
５２　　スタートシート
５４　　エンドシート
１００　　画像出力装置（プリンタ）
１１４　　記録用紙
２００　　メインユニット
２０２　　標準排出トレイ（トレイ）
２０４　　サイドトレイ（トレイ）
２０６　　手差しトレイ
２４２　　書込走査光学系
【図１】
2004074474.tif 000003
【図２】
2004074474.tif 000004
【図３】
2004074474.tif 000005
【図４】
2004074474.tif 000006
【図５】
2004074474.tif 000007
【図６】
2004074474.tif 000008